(57)【要約】【課題】画像データの容量を増加させずに、複数フレームの画像データを含むマルチフレーム画像データ又は各フレームの画像データを使用するときの画像データの読み込み時間を短縮することが可能な医用画像処理装置を提供する。【解決手段】画像処理部３は、複数フレームのフレーム画像データと、撮影条件を含むマルチ付帯情報とが結合されたマルチフレーム画像データからマルチ付帯情報を抽出し、マルチフレーム画像データから各フレームのフレーム画像データを生成し、マルチ付帯情報から各フレームの撮影条件を含むシングル付帯情報を作成する。画像生成部５は、マルチ付帯情報と各フレームのフレーム画像データとを結合することでマルチフレーム画像データを生成し、所望フレームのシングル付帯情報と所望フレームのフレーム画像データとを結合することで所望フレームのシングルフレーム画像データを生成する。【選択図】図１
2010172444.tif 000002
【特許請求の範囲】
【請求項１】
医用画像撮影装置による撮影によって一連のデータとして取得された複数フレームのフレーム画像データと、前記複数フレームに共通し、前記撮影の条件を示す撮影条件を含むマルチ付帯情報とが結合されたマルチフレーム画像データを受ける受信手段と、
前記マルチフレーム画像データから前記マルチ付帯情報を抽出する付帯情報抽出手段と、
前記マルチフレーム画像データをフレームごとに分割することで、各フレームの画像を表すフレーム画像データを生成する分割手段と、
前記マルチ付帯情報から各フレームの画像の撮影条件を含むシングル付帯情報を作成する付帯情報作成手段と、
前記マルチ付帯情報及び前記各フレームのシングル付帯情報を、共通の前記フレーム画像データに対応付けて記憶する記憶手段と、
を有することを特徴とする医用画像処理装置。
【請求項２】
前記マルチフレーム画像データの要求指示を受けた場合、前記記憶手段に記憶されている前記マルチ付帯情報と前記各フレームのフレーム画像データとを結合することで、前記マルチフレーム画像データを生成し、所望フレームの画像を表すシングルフレーム画像データの要求指示を受けた場合、前記記憶手段に記憶されている前記所望フレームのシングル付帯情報と前記所望フレームのフレーム画像データとを結合することで、前記所望フレームのシングルフレーム画像データを生成する画像生成手段を更に有することを特徴とする請求項１に記載の医用画像処理装置。
【請求項３】
前記記憶手段は、前記マルチフレーム画像データを特定するための画像情報を前記マルチ付帯情報に付帯させて記憶し、前記画像情報と前記各フレームを特定するためのフレーム情報とを、前記各フレームのフレーム画像データと前記各フレームのシングル付帯情報とに付帯させて記憶し、
前記画像生成手段は、前記マルチフレーム画像データの要求指示と所望のマルチフレーム画像データを特定するための画像情報の入力とを受けた場合、前記受けた画像情報が付帯されている前記マルチ付帯情報と前記受けた画像情報が付帯されている前記各フレームのフレーム画像データとを前記記憶手段から取得して結合することで、前記所望のマルチフレーム画像データを生成し、前記所望フレームの画像を表すシングルフレーム画像データの要求指示と前記所望のフレームのフレーム情報の入力とを受けた場合、前記受けたフレーム情報が付帯されている前記シングル付帯情報と前記受けたフレーム情報が付帯されている前記フレーム画像データとを前記記憶手段から取得して結合することで、前記所望フレームのシングルフレーム画像データを生成することを特徴とする請求項２に記載の医用画像処理装置。
【請求項４】
コンピュータに、
医用画像撮影装置による撮影によって一連のデータとして取得された複数フレームのフレーム画像データと、前記複数フレームに共通し、前記撮影の条件を示す撮影条件を含むマルチ付帯情報とが結合されたマルチフレーム画像データを受けて、前記マルチフレーム画像データから前記マルチ付帯情報を抽出する付帯情報抽出機能と、
前記マルチフレーム画像データをフレームごとに分割することで、各フレームの画像を表すフレーム画像データを生成する分割機能と、
前記マルチ付帯情報から各フレームの画像の撮影条件を含むシングル付帯情報を作成する付帯情報作成機能と、
前記マルチフレーム画像データの要求指示を受けた場合、前記マルチ付帯情報と前記各フレームのフレーム画像データとを結合することで、前記マルチフレーム画像データを生成し、所望フレームの画像を表すシングルフレーム画像データの要求指示を受けた場合、前記所望フレームのシングル付帯情報と前記所望フレームのフレーム画像データとを結合することで、前記所望フレームのシングルフレーム画像データを生成する画像生成機能と、
を実行させることを特徴とする医用画像処理プログラム。
【発明の詳細な説明】
【技術分野】
【０００１】
この発明は、複数フレームの医用画像データを含む画像データを処理する医用画像処理装置、及び医用画像処理プログラムに関する。
【背景技術】
【０００２】
Ｘ線ＣＴ装置やＭＲＩ装置などの医用画像診断装置によって生成された医用画像データは、ネットワークを介して接続された医用画像管理システム（ＰＡＣＳ）において管理される。この医用画像管理システム（ＰＡＣＳ）は、ネットワークを介して病院情報システム（ＨＩＳ）や放射線情報システム（ＲＩＳ）に接続されている。医師などの操作者は、ネットワークに接続された医用画像観察装置を用いて、医用画像管理システムから所望の医用画像データを読み出すことによって、医用画像を読影することができる。
【０００３】
医用画像診断装置によって生成された医用画像データは、ＤＩＣＯＭ規格に準拠されており、医用画像観察装置は、そのＤＩＣＯＭ規格によって規定された画像データに基づいて医用画像を表示する。また、医用画像データは、ＤＩＣＯＭ規格に従って患者ごとに分類され、患者ごとの分類は更に検査ごとに分類されている。検査は医用画像データのシリーズから成り立っており、シリーズには複数の医用画像データが含まれている。このような構造で医用画像データを分類すると、患者を頂点とし、その患者にある検査が実施され、その検査は医用画像データのシリーズからなり、シリーズは医用画像データを含むことになる。
【０００４】
従来において、画像データとしては、１フレームのみの画像（イメージ）を有するシングルフレーム画像データが用いられているが、複数フレームの画像を有するマルチフレーム画像データが用いられるようになってきている。
【０００５】
シングルフレーム画像データは、例えば、１フレームの画像データに付帯情報が結合された画像データである。付帯情報としては、患者を特定するための患者情報や、検査内容を特定するための検査情報や、シリーズを特定するためのシリーズ情報や、撮影の条件を示す撮影条件などを含む情報である。また、マルチフレーム画像データは、例えば、複数フレームの画像データに、複数フレームの画像データに共通の付帯情報が結合した画像データである。
【０００６】
マルチフレーム画像データを扱う場合に、画像データの容量が大きいことが障害になる場合がある。ここで、従来技術におけるマルチフレーム画像データについて、図４を参照して説明する。図４は、マルチフレーム画像データの構造を模式的に示す図である。図４に示すように、マルチフレーム画像データ３００は、それぞれ１フレームの画像データを表すフレーム画像データＡ１、フレーム画像データＡ２、・・・、及びフレーム画像データＡＮが結合した状態の画像データである。また、マルチフレーム画像データ３００は、複数フレームのフレーム画像データに共通のマルチ付帯情報Ｆを含んでいる。このように、マルチフレーム画像データ３００は、それぞれ１フレームの画像データを表すフレーム画像データＡ１、フレーム画像データＡ２、・・・、及びフレーム画像データＡＮが結合した画像データに、共通のマルチ付帯情報Ｆが結合した画像データである。マルチ付帯情報Ｆは、患者情報や検査情報や撮影条件などの情報を含んでいる。
【０００７】
以上のような構造を有するマルチフレーム画像データ３００において、Ｎ番目のフレームであるフレーム画像データＡＮを使用する場合、マルチフレーム画像データ３００の先頭から、Ｎ番目のフレームであるフレーム画像データＡＮまでデータを読み込む必要がある。このように、従来技術に係る画像データの管理方法によると、使用しないデータも含めてシークする必要がある。例えば、マルチフレーム画像データ３００が、４０００フレームのフレーム画像データで構成されている場合において、１０００番目のフレームの画像データだけを使用したい場合であっても、１番目のフレームの画像データから１０００番目のフレームの画像データまで読み込む必要がある。このように、不要なデータへのアクセスが必要であるため、画像データの読み込みに時間を要し、画像処理などの処理の速度が低下する問題がある。また、マルチ付帯情報Ｆは、各フレームの画像データと結合しているため、マルチ付帯情報Ｆの内容を変更する場合には、各フレーム画像データまでもすべて書き出す必要がある。そのため、マルチ付帯情報Ｆを変更する場合であっても、その処理に時間を要する問題がある。さらに、マルチフレーム画像データ３００に含まれる一部の画像データ（一部のフレーム画像データ）を対象にして処理を行う場合にも、すべてのフレーム画像データを書き出す必要があるため、その処理に時間を要する問題がある。
【０００８】
また、上記の速度低下の問題を解消するために、マルチフレーム画像データから複数のシングルフレーム画像データを生成し、マルチフレーム画像データと、複数のシングルフレーム画像データとを保存する方法が提案されている。この従来技術に係る管理方法について、図５を参照して説明する。図５は、マルチフレーム画像データの構造と、複数のシングルフレーム画像データの構造とを模式的に示す図である。この従来技術に係る管理方法は、医用画像診断装置によって取得されたマルチフレーム画像データ３００をそのまま保存する。また、マルチフレーム画像データ３００から、各フレームの画像データを表すフレーム画像データＡ１、フレーム画像データＡ２、・・・、及びフレーム画像データＡＮを作成する。さらに、マルチフレーム画像データ３００のマルチ付帯情報Ｆから、各フレームの画像データのシングル付帯情報Ｆ１、シングル付帯情報Ｆ２、・・・、及びシングル付帯情報ＦＮを作成する。シングル付帯情報Ｆ１、シングル付帯情報Ｆ２、・・・、及びシングル付帯情報ＦＮは、それぞれ患者情報や検査情報や撮影条件などの情報を含んでいる。
【０００９】
そして、各フレームのフレーム画像データと各フレームのシングル付帯情報とを結合することで、複数のシングルフレーム画像データを生成する。例えば、１番目のフレームであるフレーム画像データＡ１と１番目のフレームのシングル付帯情報Ｆ１とを結合することで、１番目のシングルフレーム画像データ４０１を作成し、２番目のフレームであるフレーム画像データＡ２と２番目のフレームのシングル付帯情報Ｆ２とを結合することで、２番目のシングルフレーム画像データ４０２を作成する。そして、従来技術においては、マルチフレーム画像データ３００と、シングルフレーム画像データ４０１、４０２、・・・、及び４００Ｎとを保存していた。このように、マルチフレーム画像データ３００から各フレームの画像データであるシングルフレーム画像データ４０１、４０２、・・・、及び４００Ｎを作成し、マルチフレーム画像データ３００と、シングルフレーム画像データ４０１、４０２、・・・、及び４００Ｎとを保存していた。このように２種類の画像データを保存することで、Ｎ番目のフレームの画像データを使用する場合に、Ｎ番目のフレームであるシングルフレーム画像データ４００Ｎを直接読み込んで使用することが可能となる。すなわち、マルチフレーム画像データ３００自体を使用する場合には、マルチフレーム画像データ３００を読み込んで使用し、所望のフレームの画像データを使用する場合には、所望のフレームのシングルフレーム画像データを直接読み込んで使用することが可能となる。これにより、所望のフレームの画像データのみを使用したい場合には、不要な画像データにアクセスする必要がないため、画像データの読み込みの時間を短縮し、画像処理などの処理の速度を向上させることができる。
【００１０】
しかしながら、上述した従来技術に係る管理方法によると、マルチフレーム画像データと、複数のシングルフレーム画像データとを保存する必要があるため、保存しなければならないデータ量が２倍になってしまう問題がある。また、付帯情報を変更する場合や画像処理を実行する場合に、マルチフレーム画像データとシングルフレーム画像データとを対象として処理を実行する必要があるため、処理時間が２倍になってしまう問題がある。
【００１１】
さらに、別の従来技術として、画像を複数の区画に分割し、区画ごとに処理を行う方法が提案されている（例えば特許文献１）。しかしながら、特許文献１に記載の方法は、マルチフレーム画像データに対応していないため、上述した読み込み時間の増加の問題やデータ容量の増加の問題を解決することは困難である。
【先行技術文献】
【特許文献】
【００１２】
【特許文献１】特開２００３−２０４４３７号公報
【発明の概要】
【発明が解決しようとする課題】
【００１３】
この発明は上記の問題を解決するものであり、医用画像診断装置によって生成された画像データの容量を増加させずに、複数フレームの画像データを含むマルチフレーム画像データ、又は個々のフレームの画像データを使用するときの画像データの読み込みの時間を短縮することが可能な医用画像処理装置、及び医用画像処理プログラムを提供することを目的とする。
【課題を解決するための手段】
【００１４】
請求項１に記載の発明は、医用画像撮影装置による撮影によって一連のデータとして取得された複数フレームのフレーム画像データと、前記複数フレームに共通し、前記撮影の条件を示す撮影条件を含むマルチ付帯情報とが結合されたマルチフレーム画像データを受ける受信手段と、前記マルチフレーム画像データから前記マルチ付帯情報を抽出する付帯情報抽出手段と、前記マルチフレーム画像データをフレームごとに分割することで、各フレームの画像を表すフレーム画像データを生成する分割手段と、前記マルチ付帯情報から各フレームの画像の撮影条件を含むシングル付帯情報を作成する付帯情報作成手段と、前記マルチ付帯情報及び前記各フレームのシングル付帯情報を、共通の前記フレーム画像データに対応付けて記憶する記憶手段と、を有することを特徴とする医用画像処理装置である。
請求項４に記載の発明は、コンピュータに、医用画像撮影装置による撮影によって一連のデータとして取得された複数フレームのフレーム画像データと、前記複数フレームに共通し、前記撮影の条件を示す撮影条件を含むマルチ付帯情報とが結合されたマルチフレーム画像データを受けて、前記マルチフレーム画像データから前記マルチ付帯情報を抽出する付帯情報抽出機能と、前記マルチフレーム画像データをフレームごとに分割することで、各フレームの画像を表すフレーム画像データを生成する分割機能と、前記マルチ付帯情報から各フレームの画像の撮影条件を含むシングル付帯情報を作成する付帯情報作成機能と、前記マルチフレーム画像データの要求指示を受けた場合、前記マルチ付帯情報と前記各フレームのフレーム画像データとを結合することで、前記マルチフレーム画像データを生成し、所望フレームの画像を表すシングルフレーム画像データの要求指示を受けた場合、前記所望フレームのシングル付帯情報と前記所望フレームのフレーム画像データとを結合することで、前記所望フレームのシングルフレーム画像データを生成する画像生成機能と、を実行させることを特徴とする医用画像処理プログラムである。
【発明の効果】
【００１５】
この発明によると、マルチフレーム画像データをフレームごとのフレーム画像データに分割し、各フレーム画像データのシングル付帯情報を作成して、マルチ付帯情報と複数のフレーム画像データと複数のシングル付帯情報とを記憶して管理することで、データの保存容量を増加させずに、マルチフレーム画像データとシングルフレーム画像データとを生成することが可能となる。すなわち、従来技術のように、マルチフレーム画像データと複数のシングルフレーム画像データとを保存しなくても、マルチ付帯情報、複数のフレーム画像データ、及び複数のシングル付帯情報を生成することで、フレーム画像データと、マルチ付帯情報又はシングル付帯情報との組み合わせを変えるだけで、マルチフレーム画像データ又はシングルフレーム画像データを生成することが可能となる。また、マルチフレーム画像データをフレームごとのフレーム画像データに分割して保存しているため、所望のフレームのフレーム画像データを直接読み込むことが可能となる。これにより、不要な画像データを読み込む必要がないため、読み込み時間を短縮することが可能となる。
【図面の簡単な説明】
【００１６】
【図１】この発明の実施形態に係る医用画像処理装置を示すブロック図である。
【図２】この発明の実施形態に係る医用画像処理装置による処理内容を説明するための図であり、マルチフレーム画像データの構造と、複数のシングルフレーム画像データの構造とを模式的に示す図である。
【図３】この発明の実施形態に係る医用画像処理装置の動作を示すフローチャートである。
【図４】マルチフレーム画像データの構造を模式的に示す図である。
【図５】マルチフレーム画像データの構造と、複数のシングルフレーム画像データの構造とを模式的に示す図である。
【発明を実施するための形態】
【００１７】
この発明の実施形態に係る医用画像処理装置について、図１及び図２を参照して説明する。図１は、この発明の実施形態に係る医用画像処理装置を示すブロック図である。図２は、この発明の実施形態に係る医用画像処理装置による処理内容を説明するための図であり、マルチフレーム画像データの構造と、複数のシングルフレーム画像データの構造とを模式的に示す図である。
【００１８】
この発明の実施形態に係る医用画像処理装置１は、医用画像撮影装置１０に接続されている。医用画像撮影装置１０は、被検体内を画像化することで医用画像データを生成する。医用画像撮影装置１０は、超音波を送受信することで被検体内を映像化する超音波診断装置、Ｘ線を照射することで被検体内を映像化するＸ線診断装置やＸ線ＣＴ装置、又は、磁場を発生させて被検体内を映像化するＭＲＩ装置などが該当する。医用画像撮影装置１０は、撮影によって得られた医用画像データを医用画像処理装置１に出力する。この実施形態では、医用画像撮影装置１０は、一連のデータとして複数フレームの画像を有するマルチフレーム画像データを生成し、そのマルチフレーム画像データを医用画像処理装置１に出力する。例えば図２に示すように、医用画像撮影装置１０は、撮影によってマルチフレーム画像データ１００を生成し、そのマルチフレーム画像データ１００を医用画像処理装置１に出力する。マルチフレーム画像データ１００は、それぞれ１フレームの画像データを表すフレーム画像データＡ１、フレーム画像データＡ２、・・・、及びフレーム画像データＡＮが結合した画像データに、共通のマルチ付帯情報Ｆが結合した画像データである。
【００１９】
マルチ付帯情報Ｆは、ＤＩＣＯＭ規格に従って、撮影日時情報、患者を特定するための患者情報、検査内容を特定するための検査情報、シリーズを特定するためのシリーズ情報、画像データ固有の番号であるイメージＩＤ（ＵＩＤ）、撮影の条件を示す撮影条件、及び、画像を再構成するための画像生成条件を含んでいる。撮影条件は、医用画像撮影装置１０によって画像データを収集するための条件であり、医用画像撮影装置１０の種類に依存する。例えばＸ線ＣＴ装置の撮影条件には、スキャンの開始位置、スキャン範囲（寝台移動量）、及び、Ｘ線管球に印加する電圧値などが含まれる。また、ＭＲＩ装置の撮影条件には、例えば、撮影範囲、磁場強度、検出コイルの種類、及び、検出コイルの設置場所などが含まれる。また、画像生成条件は、撮影によって得られたデータから画像データを再構成するための条件である。例えば、画像生成条件には、再構成範囲、画像の位置、方向、及び厚さなどの条件が含まれる。
【００２０】
この発明の実施形態に係る医用画像処理装置１は、受信部２、画像処理部３、画像記憶部４、画像生成部５、表示制御部６、及びユーザインターフェース（ＵＩ）７を備えている。
【００２１】
（受信部２）
受信部２は、医用画像撮影装置１０から出力されたマルチフレーム画像データを受信し、画像処理部３に出力する。なお、受信部２が、この発明の「受信手段」の１例に相当する。
【００２２】
（画像処理部３）
画像処理部３は、付帯情報抽出部３１と、画像データ分割部３２と、付帯情報作成部３３とを備えている。画像処理部３は、受信部２から出力されたマルチフレーム画像データを受けて、そのマルチフレーム画像データからマルチ付帯情報を抽出し、マルチフレーム画像データからフレームごとの画像データであるフレーム画像データを生成し、マルチフレーム画像データのマルチ付帯情報から各フレーム画像データのシングル付帯情報を作成する。以下、画像処理部３の各部について説明する。
【００２３】
（付帯情報抽出部３１）
付帯情報抽出部３１は、複数のフレーム画像データとマルチ付帯情報とが結合されたマルチフレーム画像データから、そのマルチ付帯情報を抽出する。例えば図２に示すように、付帯情報抽出部３１は、マルチフレーム画像データ１００から、共通のマルチ付帯情報Ｆを抽出する。また、付帯情報抽出部３１は、抽出元のマルチフレーム画像データ１００の固有の番号であるイメージＩＤ（ＵＩＤ）を含んだファイル名を作成し、そのファイル名を抽出されたマルチ付帯情報Ｆのファイル名として定義する。そして、付帯情報抽出部３１は、抽出元のマルチフレーム画像データ１００のイメージＩＤ（ＵＩＤ）がファイル名に含まれるマルチ付帯情報Ｆを画像記憶部４に出力する。画像記憶部４は、付帯情報抽出部３１から出力されたマルチ付帯情報Ｆを記憶する。このように、付帯情報抽出部３１は、マルチフレーム画像データ１００とは別のデータとしてマルチ付帯情報Ｆを抽出する。なお、付帯情報抽出部３１が、この発明の「付帯情報抽出手段」の１例に相当する。また、イメージＩＤ（ＵＩＤ）が、この発明の「マルチフレーム画像データを特定するための画像情報」の１例に相当する。
【００２４】
（画像データ分割部３２）
画像データ分割部３２は、マルチフレーム画像データからフレームごとの画像データであるフレーム画像データを生成する。例えば図２に示すように、画像データ分割部３２は、マルチフレーム画像データ１００をフレーム単位で分割することで、１番目のフレームであるフレーム画像データＡ１、２番目のフレームであるフレーム画像データＡ２、・・・、及びＮ番目のフレームであるフレーム画像データＡＮを生成する。１例として、画像データ分割部３２は、マルチフレーム画像データ１００の先頭のフレームのフレーム画像データ（１番目のフレームのフレーム画像データＡ１）からマルチフレーム画像データ１００を読み込んで、フレームごとに画像データを分割することで、フレーム画像データＡ１、Ａ２、・・・、ＡＮを生成する。
【００２５】
また、画像データ分割部３２は、元の画像データであるマルチフレーム画像データ１００の固有の番号であるイメージＩＤ（ＵＩＤ）と、フレームの番号を特定するためのフレーム情報と、を含んだファイル名を各フレームのフレーム画像データごとに作成する。すなわち、画像データ分割部３２は、各フレームのフレーム画像データＡ１、Ａ２、・・・、及びＡＮのそれぞれのファイル名に、元の画像データであるマルチフレーム画像データ１００の固有の番号であるイメージＩＤ（ＵＩＤ）と、フレームの番号を特定するためのフレーム情報とを含ませる。
【００２６】
例えば、画像データ分割部３２は、１番目のフレームのフレーム画像データＡ１については、元の画像データであるマルチフレーム画像データ１００のイメージＩＤ（ＵＩＤ）と、１番目のフレームであることを示すフレーム情報と、を含んだファイル名を作成し、そのファイル名をフレーム画像データＡ１のファイル名として定義する。同様に、画像データ分割部３２は、２番目のフレームのフレーム画像データＡ２については、元の画像データであるマルチフレーム画像データ１００のイメージＩＤ（ＵＩＤ）と、２番目のフレームであることを示すフレーム情報と、を含んだファイル名を作成し、そのファイル名をフレーム画像データＡ２のファイル名として定義する。また、画像データ分割部３２は、Ｎ番目のフレームのフレーム画像データＡＮについては、元の画像データであるマルチフレーム画像データ１００のイメージＩＤ（ＵＩＤ）と、Ｎ番目のフレームであることを示すフレーム情報と、を含んだファイル名を作成し、そのファイル名をフレーム画像データＡＮのファイル名として定義する。
【００２７】
１例として、画像データ分割部３２は、フレーム画像データＡ１のファイル名には、１番目のフレームであることを示す情報（フレームＮｏ．１）を含ませ、フレーム画像データＡ２のファイル名には、２番目のフレームであることを示す情報（フレームＮｏ．２）を含ませ、フレーム画像データＡＮのファイル名には、Ｎ番目のフレームであることを示す情報（フレームＮｏ．Ｎ）を含ませる。
【００２８】
そして、画像データ分割部３２は、マルチフレーム画像データ１００のイメージＩＤ（ＵＩＤ）と個々のフレームの番号を示すフレーム情報とがファイル名に含まれる各フレーム画像データ（フレーム画像データＡ１、フレーム画像データＡ２、・・・、及びフレーム画像データＡＮ）を、画像記憶部４に出力する。画像記憶部４は、画像データ分割部３２から出力された各フレーム画像データを記憶する。このように、画像データ分割部３２は、マルチフレーム画像データ１００を個々のフレームのフレーム画像データＡ１、Ａ２、・・・、及びＡＮに分割する。なお、画像データ分割部３２が、この発明の「分割手段」の１例に相当する。また、フレーム情報が、この発明の「各フレームを特定するためのフレーム情報」の１例に相当する。
【００２９】
（付帯情報作成部３３）
付帯情報作成部３３は、マルチフレーム画像データのマルチ付帯情報から各フレーム画像データのシングル付帯情報を作成する。例えば図２に示すように、付帯情報作成部３３は、マルチフレーム画像データ１００のマルチ付帯情報Ｆから、各フレームの画像データのシングル付帯情報Ｆ１、シングル付帯情報Ｆ２、・・・、及びシングル付帯情報ＦＮを作成する。図２に示す例では、付帯情報作成部３３は、マルチ付帯情報Ｆから、フレーム画像データＡ１についてシングル付帯情報Ｆ１を作成し、フレーム画像データＡ２についてシングル付帯情報Ｆ２を作成し、フレーム画像データＡＮについてシングル付帯情報ＦＮを作成する。
【００３０】
シングル付帯情報Ｆ１、シングル付帯情報Ｆ２、・・・、及びシングル付帯情報ＦＮは、マルチ付帯情報Ｆと同様にＤＩＣＯＭ規格に従って、撮影日時情報、患者情報、検査情報、シリーズ情報、撮影条件、及び画像生成条件を含んでいる。
【００３１】
また、付帯情報作成部３３は、元のマルチフレーム画像データ１００の固有の番号であるイメージＩＤ（ＵＩＤ）と、フレームの番号を特定するためのフレーム情報と、を含んだファイル名を各フレームのシングル付帯情報ごとに作成する。すなわち、付帯情報作成部３３は、各フレームのシングル付帯情報Ｆ１、Ｆ２、・・・、及びＦＮのそれぞれのファイル名に、元の画像データであるマルチフレーム画像データ１００の固有の番号であるイメージＩＤ（ＵＩＤ）と、フレームの番号を特定するためのフレーム情報とを含ませる。
【００３２】
例えば、付帯情報作成部３３は、１番目のフレームのシングル付帯情報Ｆ１については、元の画像データであるマルチフレーム画像データ１００のイメージＩＤ（ＵＩＤ）と、１番目のフレームであることを示すフレーム情報と、を含んだファイル名を作成し、そのファイル名をシングル付帯情報Ｆ１のファイル名として定義する。同様に、付帯情報作成部３３は、２番目のフレームのシングル付帯情報Ｆ２については、元の画像データであるマルチフレーム画像データ１００のイメージＩＤ（ＵＩＤ）と、２番目のフレームであることを示すフレーム情報と、を含んだファイル名を作成し、そのファイル名をシングル付帯情報Ｆ２のファイル名として定義する。また、付帯情報作成部３３は、Ｎ番目のフレームのシングル付帯情報ＦＮについては、元の画像データであるマルチフレーム画像データ１００のイメージＩＤ（ＵＩＤ）と、Ｎ番目のフレームであることを示すフレーム情報と、を含んだファイル名を作成し、そのファイル名をシングル付帯情報ＦＮのファイル名として定義する。
【００３３】
１例として、付帯情報作成部３３は、シングル付帯情報Ｆ１のファイル名には、１番目のフレームであることを示す情報（フレームＮｏ．1）を含ませ、シングル付帯情報Ｆ２のファイル名には、２番目のフレームであることを示す情報（フレームＮｏ．２）を含ませ、シングル付帯情報ＦＮのファイル名には、Ｎ番目のフレームであることを示す情報（フレームＮｏ．Ｎ）を含ませる。
【００３４】
そして、付帯情報作成部３３は、マルチフレーム画像データ１００のイメージＩＤ（ＵＩＤ）と個々のフレームの番号を示すフレーム情報とがファイル名に含まれる各シングル付帯情報（シングル付帯情報Ｆ１、シングル付帯情報Ｆ２、・・・、シングル付帯情報ＦＮ）を、画像記憶部４に出力する。画像記憶部４は、付帯情報作成部３３から出力された各シングル付帯情報を記憶する。このように、付帯情報作成部３３は、マルチフレーム画像データ１００のマルチ付帯情報Ｆから、別のデータとして各フレーム画像データのシングル付帯情報を作成する。なお、付帯情報作成部３３は、マルチフレーム画像データ１００を対象として、マルチフレーム画像データ１００自体から、各フレーム画像データのシングル付帯情報Ｆ１、Ｆ２、・・・、ＦＮを作成しても良い。すなわち、マルチフレーム画像データ１００にはマルチ付帯情報Ｆが含まれているため、付帯情報作成部３３は、マルチ付帯情報Ｆを対象とする代わりに、マルチフレーム画像データ１００を対象として各フレーム画像データのシングル付帯情報Ｆ１、Ｆ２、・・・、ＦＮを作成しても良い。なお、付帯情報作成部３３が、この発明の「付帯情報作成手段」の１例に相当する。
【００３５】
（画像記憶部４）
画像記憶部４は、付帯情報抽出部３１から出力された、マルチフレーム画像データ１００のマルチ付帯情報Ｆを記憶する。また、画像記憶部４は、画像データ分割部３２から出力された、フレーム画像データＡ１、フレーム画像データＡ２、・・・、及びフレーム画像データＡＮを記憶する。また、画像記憶部４は、付帯情報作成部３３から出力された、シングル付帯情報Ｆ１、シングル付帯情報Ｆ２、・・・、及びシングル付帯情報ＦＮを記憶する。なお、画像記憶部４が、この発明の「記憶手段」の１例に相当する。
【００３６】
（画像生成部５）
画像生成部５は、画像取得部５１と、第１画像生成部５２と、第２画像生成部５３とを備えている。画像生成部５は、ユーザインターフェース（ＵＩ）７から入力された画像要求の指示に従って、複数のフレーム画像データに基づいてマルチフレーム画像データを生成し、又は、所望のフレームのフレーム画像データに基づいてシングルフレーム画像データを生成する。以下、画像生成部５の各部について説明する。
【００３７】
（画像取得部５１）
画像取得部５１は、マルチフレーム画像データの要求の指示、又はシングルフレーム画像データの要求の指示をユーザインターフェース（ＵＩ）７から受けて、その要求の指示に従って、マルチフレーム画像データの生成に必要な情報、又はシングルフレーム画像データの生成に必要な情報を画像記憶部４から取得する。例えば、画像取得部５１は、マルチフレーム画像データの要求の指示を受けると、マルチフレーム画像データのマルチ付帯情報と、各フレームのフレーム画像データとを画像記憶部４から取得して、第１画像生成部５２に出力する。また、画像取得部５１は、所望のフレームのシングルフレーム画像データの要求の指示を受けると、所望のフレームのシングル付帯情報と、所望のフレームのフレーム画像データとを画像記憶部４から取得して、第２画像生成部５３に出力する。
【００３８】
例えば、操作者が操作部７１を用いて、マルチフレーム画像データの要求の指示をし、所望のマルチフレーム画像データを特定するためのイメージＩＤ（ＵＩＤ）を指定すると、マルチフレーム画像データの要求指示と、そのイメージＩＤ（ＵＩＤ）とがユーザインターフェース（ＵＩ）７から画像取得部５１に出力される。画像取得部５１は、マルチフレーム画像データの要求指示とイメージＩＤ（ＵＩＤ）とを受けると、そのイメージＩＤ（ＵＩＤ）がファイル名に含まれるマルチ付帯情報Ｆと、そのイメージＩＤ（ＵＩＤ）がファイル名に含まれる各フレームのフレーム画像データと、を画像記憶部４から取得して第１画像生成部５２に出力する。
【００３９】
一方、操作者が操作部７１を用いて、シングルフレーム画像データの要求の指示をし、所望のマルチフレーム画像データを特定するためのイメージＩＤ（ＵＩＤ）と、そのマルチフレーム画像データにおける所望の番号のフレームを特定するためのフレーム情報とを指定すると、シングルフレーム画像データの要求指示と、そのイメージＩＤ（ＵＩＤ）と、所望のフレームを特定するフレーム情報とが、ユーザインターフェース（ＵＩ）７から画像取得部５１に出力される。画像取得部５１は、シングルフレーム画像データの要求指示と、イメージＩＤ（ＵＩＤ）と、所望のフレームを特定するフレーム情報とを受けると、そのイメージＩＤ（ＵＩＤ）と所望のフレームのフレーム情報とがファイル名に含まれるシングル付帯情報と、そのイメージＩＤ（ＵＩＤ）と所望のフレームのフレーム情報とがファイル名に含まれフレーム画像データと、を画像記憶部４から取得して第２画像生成部５３に出力する。
【００４０】
１例として、４０００フレームあるフレーム画像データ群のうち、操作者が操作部７１を用いて１０００番目のフレームを特定するフレーム情報を指定すると、画像取得部５１は、１０００番目のフレームのフレーム情報がファイル名に含まれる付帯情報Ｆ１０００と、１０００番目のフレームのフレーム情報がファイル名に含まれるフレーム画像データＡ１０００とを画像記憶部４から取得して、第２画像生成部５３に出力する。
【００４１】
（第１画像生成部５２）
第１画像生成部５２は、操作者によって指定されたイメージＩＤ（ＵＩＤ）がファイル名に含まれるマルチ付帯情報Ｆと、そのイメージＩＤ（ＵＩＤ）がファイル名に含まれる各フレームのフレーム画像データとを画像取得部５１から受ける。そして、第１画像生成部５２は、各フレームのフレーム画像データを結合し、さらに、結合された複数のフレーム画像データにマルチ付帯情報Ｆを結合することで、マルチフレーム画像データを生成する。例えば図２に示すように、第１画像生成部５２は、１番目のフレームのフレーム画像データＡ１、２番目のフレームのフレーム画像データＡ２、・・・、及びＮ番目のフレームのフレーム画像データＡＮを結合し、さらに、結合された複数のフレーム画像データにマルチ付帯情報Ｆを結合することで、マルチフレーム画像データ２００を生成する。
【００４２】
第１画像生成部５２は、マルチフレーム画像データを表示制御部６に出力する。表示制御部６は、第１画像生成部５２によって生成されたマルチフレーム画像データに基づくマルチフレーム画像を表示部７２に表示させる。例えば表示制御部６は、マルチフレーム画像を動画像として表示部７２に表示させる。
【００４３】
（第２画像生成部５３）
第２画像生成部５３は、操作者によって指定されたイメージＩＤ（ＵＩＤ）と所望のフレームのフレーム情報とがファイル名に含まれるシングル付帯情報と、そのイメージＩＤ（ＵＩＤ）と所望のフレームのフレーム情報とがファイル名に含まれるフレーム画像データとを画像取得部５１から受ける。そして、第２画像生成部５３は、シングル付帯情報とフレーム画像データとを結合することで、シングルフレーム画像データを生成する。例えば図２に示すように、１番目のフレームが指定された場合、第２画像生成部５３は、１番目のフレームのフレーム画像データＡ１と、１番目のフレームのシングル付帯情報Ｆ１とを結合することで、シングルフレーム画像データ２０１を生成する。また、２番目のフレームが指定された場合、第２画像生成部５３は、２番目のフレームのフレーム画像データＡ２と、２番目のフレームのシングル付帯情報Ｆ２とを結合することで、シングルフレーム画像データ２０２を作成する。同様に、Ｎ番目のフレームが指定された場合、第２画像生成部５３は、Ｎ番目のフレームのフレーム画像データＡＮと、Ｎ番目のフレームのシングル付帯情報ＦＮとを結合することで、シングルフレーム画像データ２００Ｎを作成する。
【００４４】
第２画像生成部５３は、シングルフレーム画像データを表示制御部６に出力する。表示制御部６は、第２画像生成部５３によって生成されたシングルフレーム画像データに基づくシングルフレーム画像を表示部７２に表示させる。例えば表示制御部６は、シングルフレーム画像データ２０１に基づくシングルフレーム画像を表示部７２に表示させる。なお、画像生成部５が、この発明の「画像生成手段」の１例に相当する。
【００４５】
この実施形態では、画像生成部５によって生成されたマルチフレーム画像データ、又はシングルフレーム画像データに基づく画像を表示部７２に表示したが、それらの画像を表示の対象とせずに、画像処理の対象としても良い。例えば、操作者が操作部７１を用いて所望の画像処理の指示を与えると、画像生成部５は、マルチフレーム画像データ又はシングルフレーム画像データを、図示しない処理部に出力する。処理部は、画像生成部５によって生成されたマルチフレーム画像データ又はシングルフレーム画像データに対して、指示された画像処理を施す。このように、マルチフレーム画像又はシングルフレーム画像を表示する代わりに、画像処理の対象としても良い。また、マルチフレーム画像又はシングルフレーム画像を表示する場合には、操作者が操作部７１を用いて表示の指示を与えるようにすれば良い。
【００４６】
ユーザインターフェース（ＵＩ）７は、操作部７１と表示部７２とを備えている。操作部７１は、ジョイスティックやトラックボールなどのポインティングデバイス、スイッチ、各種ボタン、及びキーボードなどで構成されている。表示部７２は、ＣＲＴや液晶ディスプレイなどのモニタで構成されており、医用画像を表示する。
【００４７】
画像処理部３、画像生成部５、及び表示制御部６は、１例として、図示しないＣＰＵと、ＲＯＭ、ＲＡＭなどの記憶装置とによって構成されている。記憶装置には、画像処理部３の機能を実行するための画像処理プログラム、画像生成部５の機能を実行するための画像生成プログラム、及び、表示制御部６の機能を実行するための表示制御プログラムが記憶されている。また、画像処理プログラムには、付帯情報抽出部３１の機能を実行するための付帯情報抽出プログラム、画像データ分割部３２の機能を実行するための画像データ分割プログラム、及び、付帯情報作成部３３の機能を実行するための付帯情報作成プログラムが含まれている。また、画像生成プログラムには、画像取得部５１の機能を実行するための画像取得プログラム、第１画像生成部５２の機能を実行するための第１画像生成プログラム、及び、第２画像生成部５３の機能を実行するための第２画像生成プログラムが含まれている。そして、ＣＰＵが、各プログラムを実行することで、各部の機能を実行する。なお、画像処理プログラムと画像生成プログラムとによって、この発明の「医用画像処理プログラム」の１例を構成する。
【００４８】
（動作）
次に、この実施形態に係る医用画像処理装置１の動作について、図３を参照して説明する。図３は、この発明の実施形態に係る医用画像処理装置の動作を示すフローチャートである。
【００４９】
（ステップＳ０１）
まず、受信部２は、医用画像撮影装置１０によって生成されたマルチフレーム画像データ１００を受信し、画像処理部３に出力する。
【００５０】
（ステップＳ０２）
付帯情報抽出部３１は、マルチフレーム画像データ１００から、共通のマルチ付帯情報Ｆを抽出する。また、付帯情報抽出部３１は、抽出元のマルチフレーム画像データ１００の固有の番号であるイメージＩＤ（ＵＩＤ）を含んだファイル名を作成し、そのファイル名を抽出されたマルチ付帯情報Ｆのファイル名として定義する。そして、付帯情報抽出部３１は、マルチフレーム画像データ１００のイメージＩＤ（ＵＩＤ）がファイル名に含まれるマルチ付帯情報Ｆを画像記憶部４に出力する。画像記憶部４は、マルチ付帯情報Ｆを記憶する。
【００５１】
（ステップＳ０３）
画像データ分割部３２は、マルチフレーム画像データ１００をフレーム単位で分割することで、フレーム画像データＡ１、フレーム画像データＡ２、・・・、及びフレーム画像データＡＮを作成する。また、画像データ分割部３２は、マルチフレーム画像データ１００の固有の番号であるイメージＩＤ（ＵＩＤ）と、フレームの番号を特定するためのフレーム情報と、を含んだファイル名を各フレームのフレーム画像データごとに作成する。例えば図２に示すように、画像データ分割部３２は、フレーム画像データＡ１については、マルチフレーム画像データ１００のイメージＩＤ（ＵＩＤ）と、１番目のフレームであることを示すフレーム情報と、を含んだファイル名を作成し、そのファイル名をフレーム画像データＡ１のファイル名として定義する。同様に、画像データ分割部３２は、フレーム画像データＡＮについては、マルチフレーム画像データ１００のイメージＩＤ（ＵＩＤ）と、Ｎ番目のフレームであることを示すフレーム情報と、を含んだファイル名を作成し、そのファイル名をフレーム画像データＡＮのファイル名として定義する。そして、画像データ分割部３２は、マルチフレーム画像データ１００のイメージＩＤ（ＵＩＤ）と個々のフレームの番号を示すフレーム情報とがファイル名に含まれる各フレーム画像データを、画像記憶部４に出力する。画像記憶部４は、各フレーム画像データを記憶する。
【００５２】
（ステップＳ０４）
付帯情報作成部３３は、マルチフレーム画像データ１００のマルチ付帯情報Ｆから、各フレームの画像データのシングル付帯情報Ｆ１、シングル付帯情報Ｆ２、・・・、及びシングル付帯情報ＦＮを作成する。また、付帯情報作成部３３は、マルチフレーム画像データ１００の固有の番号であるイメージＩＤ（ＵＩＤ）と、フレームの番号を特定するためのフレーム情報と、を含んだファイル名を各フレームのシングル付帯情報ごとに作成する。例えば、付帯情報作成部３３は、シングル付帯情報Ｆ１については、マルチフレーム画像データ１００のイメージＩＤ（ＵＩＤ）と、１番目のフレームであることを示すフレーム情報と、を含んだファイル名を作成し、そのファイル名をシングル付帯情報Ｆ１のファイル名として定義する。同様に、付帯情報作成部３３は、シングル付帯情報ＦＮについては、マルチフレーム画像データ１００のイメージＩＤ（ＵＩＤ）と、Ｎ番目のフレームであることを示すフレーム情報と、を含んだファイル名を作成し、そのファイル名をシングル付帯情報ＦＮのファイル名として定義する。そして、付帯情報作成部３３は、マルチフレーム画像データ１００のイメージＩＤ（ＵＩＤ）と個々のフレームの番号を示すフレーム情報とがファイル名に含まれる各シングル付帯情報を、画像記憶部４に出力する。画像記憶部４は、各シングル付帯情報を記憶する。
【００５３】
（ステップＳ０５）
操作者は操作部７１を用いて、マルチフレーム画像データの要求の指示、又は、シングルフレーム画像データの要求の指示を与える。マルチフレーム画像データの要求指示を与える場合は、操作者は操作部７１を用いて、イメージＩＤ（ＵＩＤ）を指定する。操作者によって与えられたマルチフレーム画像データの要求指示と、操作者によって指定されたイメージＩＤ（ＵＩＤ）とが、ユーザインターフェース（ＵＩ）７から画像取得部５１に出力される。一方、シングルフレーム画像データの要求指示を与える場合に、操作者は操作部７１を用いて、イメージＩＤ（ＵＩＤ）と、所望の番号のフレームを特定するためのフレーム情報とを指定する。操作者によって与えられたシングルフレーム画像データの要求指示、操作者によって指定されたイメージＩＤ（ＵＩＤ）、及びフレーム情報が、ユーザインターフェース（ＵＩＤ）から画像取得部５１に出力される。
【００５４】
（ステップＳ０６）
操作者がマルチフレーム画像データの要求を指示した場合（ステップＳ０５、Ｙｅｓ）、画像取得部５１は、マルチフレーム画像データの要求指示とイメージＩＤ（ＵＩＤ）とをユーザインターフェース（ＵＩ）７から受けて、そのイメージＩＤ（ＵＩＤ）がファイル名に含まれるマルチ付帯情報Ｆと、そのイメージＩＤ（ＵＩＤ）がファイル名に含まれる各フレームのフレーム画像データと、を画像記憶部４から取得して第１画像生成部５２に出力する。第１画像生成部５２は、フレーム画像データＡ１、フレーム画像データＡ２、・・・、及びフレーム画像データＡＮを結合し、さらに、結合された複数のフレーム画像データにマルチ付帯情報Ｆを結合することで、マルチフレーム画像データ２００を生成する。第１画像生成部５２は、マルチフレーム画像データ２００を表示制御部６に出力する。
【００５５】
（ステップＳ０７）
表示制御部６は、マルチフレーム画像データ２００に基づくマルチフレーム画像を表示部７２に表示させる。
【００５６】
（ステップＳ０８）
一方、操作者がシングルフレーム画像データの要求を指示した場合（ステップＳ０５、Ｎｏ）、画像取得部５１は、シングルフレーム画像データの要求指示と、イメージＩＤ（ＵＩＤ）と、所望のフレームのフレーム情報とをユーザインターフェース７（ＵＩ）から受けて、そのイメージＩＤ（ＵＩＤ）と所望のフレームのフレーム情報とがファイル名に含まれるシングル付帯情報と、そのイメージＩＤ（ＵＩＤ）と所望のフレームのフレーム情報とがファイル名に含まれるフレーム画像データと、を画像記憶部４から取得して第２画像生成部５３に出力する。例えば図２に示すように、１番目のフレームが指定された場合、第２画像生成部５３は、１番目のフレームのフレーム画像データＡ１と、１番目のフレームのシングル付帯情報Ｆ１とを結合することで、シングルフレーム画像データ２０１を生成する。第２画像生成部５３は、シングルフレーム画像データ２０１を表示制御部６に出力する。
【００５７】
（ステップＳ０９）
表示制御部６は、シングルフレーム画像データ２０１に基づくシングルフレーム画像を表示部７２に表示させる。
【００５８】
以上のように、マルチフレーム画像データをフレームごとのフレーム画像データに分割し、各フレーム画像データのシングル付帯情報を作成して、マルチ付帯情報と複数のフレーム画像データと複数のシングル付帯情報とを保存して管理することで、データの保存容量を増加させずに、マルチフレーム画像データとシングルフレーム画像データとを生成して使用することが可能となる。すなわち、従来技術に係る管理方法のように、マルチフレーム画像データと複数のシングルフレーム画像データとを保存しなくても、マルチ付帯情報、複数のフレーム画像データ、及び複数のシングル付帯情報を生成することで、フレーム画像データと、マルチ付帯情報又はシングル付帯情報との組み合わせを変えるだけで、マルチフレーム画像データ又はシングルフレーム画像データを生成することが可能となる。これにより、データ容量を増加させずに、マルチフレーム画像データ又はシングルフレーム画像データを使用することが可能となる。
【００５９】
また、従来技術に係る管理方法では、マルチ付帯情報は、各フレームのフレーム画像データと結合しているため、マルチ付帯情報の内容を変更する場合には、各フレーム画像データまでもすべて書き出す必要があった。これに対して、この実施形態に係る医用画像処理装置１によると、マルチ付帯情報及びシングル付帯情報を、画像データとは別のデータとして管理しているため、変更対象となるマルチ付帯情報又はシングル付帯情報のみを変更することが可能となる。すなわち、付帯情報を変更する場合に、画像データにアクセスする必要がないため、処理時間を短縮することが可能となる。例えば、１番目のフレームのシングル付帯情報Ｆ１のみを変更したい場合、そのシングル付帯情報Ｆ１のみを変更することが可能となるため、従来技術と比べてより高速に処理することが可能となる。
【００６０】
また、従来技術に係る管理方法では、マルチフレーム画像データに含まれる一部の画像データを対象にして処理を行う場合にも、すべてのフレーム画像データを書き出す必要があった。これに対して、この実施形態に係る医用画像処理装置１によると、マルチフレーム画像データは、複数のフレーム画像データに分離された状態で管理されているため、処理対象となるフレーム画像データのみにアクセスして処理を行うことが可能となる。このように、不要な画像データにアクセスする必要がないため、処理時間を短縮することが可能となる。例えば、１番目のフレームのフレーム画像データＡ１のみを使用したい場合、そのフレーム画像データＡ１のみを読み込んで処理を実行することが可能となるため、従来技術と比べてより高速に処理することが可能となる。
【００６１】
なお、上述したフローチャートにおいて、ステップＳ０２からステップＳ０４までの処理の順番は、特に限定されない。ステップＳ０２からステップＳ０４のそれぞれの処理の順番を変えても、上述した実施形態と同じ効果を奏することができる。
【００６２】
（変形例）
次に、上述した医用画像処理装置１の変形例について説明する。変形例においては、医用画像撮影装置１０は、マルチフレーム画像データの代わりに、複数のシングルフレーム画像データを生成して、医用画像処理装置１に出力する。変形例においては、付帯情報抽出部３１は、各シングルフレーム画像データからシングル付帯情報を分離することで、複数のフレーム画像データと複数のシングル付帯情報とを生成する。また、付帯情報作成部３３は、付帯情報抽出部３１によって作成された複数のシングル付帯情報に基づいて、各シングル付帯情報を含むマルチ付帯情報を作成する。そして、画像記憶部４は、各シングル付帯情報と、マルチ付帯情報と、各フレーム画像データとを記憶する。
【００６３】
上述した実施形態と同様に、操作者が操作部７１を用いてマルチフレーム画像データの要求指示を与えると、画像取得部５１は、マルチ付帯情報と、複数のフレーム画像データとを画像記憶部４から取得して第１画像生成部５２に出力する。第１画像生成部５２は、複数のシングルフレーム画像データを結合し、さらに、結合された複数のシングルフレーム画像データにマルチ付帯情報を結合することで、マルチフレーム画像データを生成する。
【００６４】
一方、操作者が操作部７１を用いて所望のフレームのシングルフレーム画像データの要求指示を与えると、画像取得部５１は、指定されたフレームのシングル付帯情報と、指定されたフレームのフレーム画像データとを画像記憶部４から取得して第２画像生成部５３に出力する。第２画像生成部５３は、フレーム画像データにシングル付帯情報を結合することで、シングルフレーム画像データを生成する。
【００６５】
以上のように、複数のシングルフレーム画像データが医用画像撮影装置１０によって生成された場合であっても、上述した実施形態と同じ効果を奏することが可能となる。すなわち、シングル付帯情報とマルチ付帯情報と複数のフレーム画像データとを管理することで、データの保存容量を増加させずに、マルチフレーム画像データとシングルフレーム画像データとを生成して使用することが可能となる。
【符号の説明】
【００６６】
１  医用画像処理装置
２  受信部
３  画像処理部
４  画像記憶部
５  画像生成部
６  表示制御部
７  ユーザインターフェース（ＵＩ）
１０  医用画像撮影装置
３１  付帯情報抽出部
３２  画像データ分割部
３３  付帯情報作成部
５１  画像取得部
５２  第１画像生成部
５３  第２画像生成部
７１  操作部
７２  表示部
【図１】
2010172444.tif 000003
【図２】
2010172444.tif 000004
【図３】
2010172444.tif 000005
【図４】
2010172444.tif 000006
【図５】
2010172444.tif 000007